(57)【特許請求の範囲】
【請求項１】
複数の波長の信号光を送信側で多重化し、１以上の中継器を介して伝送するＷＤＭシステムであって、
前記中継器で、前記送信側からのモニタ光を受信側に折り返し、
受信した前記モニタ光に基づいて当該波長の信号光出力を制御するＷＤＭ伝送システムにおいて、送信側で、モニタ光の波長として前記複数の波長の１つを設定して前記信号光に多重して送信する手段と、
当該波長で送信されていた信号光を前記複数の波長以外の付加的波長に切り替えて送信する手段とを有することを特徴とするＷＤＭ伝送システム。
【請求項２】
前記受信側で前記モニタ光を受信した後、付加的波長に切り替えて送信されていた信号光の波長を当該モニタ光の波長に戻して前記信号光出力を制御することを特徴とする請求項１に記載のＷＤＭ伝送システム。
【請求項３】
前記モニタ光の波長を前記複数の波長の全てに渡って順次設定することを特徴とする請求項１又は２に記載のＷＤＭ伝送システム。
【請求項４】
前記中継器は、
光増幅器と、
前記光増幅器より前段に備えられた第一の折り返し手段と、
前記光増幅器より後段に備えられた第二の折り返し手段とを備え、
前記第一の折り返し手段を介して折り返されたモニタ光と前記第二の折り返し手段を介して折り返されたモニタ光とに基づいて送信側で当該波長の信号光出力を制御することを特徴とする請求項１乃至３のいずれかに記載のＷＤＭ伝送システム。
【請求項５】
複数の波長の信号光を送信側で多重化し、１以上の中継器を介して伝送するＷＤＭ伝送方法であって、
前記中継器で、前記送信側からのモニタ光を受信側に折り返し、
受信側で、折り返された前記モニタ光を受信し、
受信した前記モニタ光に基づいて当該波長の信号光出力を制御するＷＤＭ伝送方法において、
モニタ光の波長として前記複数の波長の１つを設定して前記信号光に多重して送信し、当該波長で送信されていた信号光を前記複数の波長以外の付加的波長に切り替えて送信することを特徴とするＷＤＭ伝送方法。
【請求項６】
前記受信側で前記モニタ光を受信した後、付加的波長に切り替えて送信されていた信号光の波長を当該モニタ光の波長に戻して前記信号光出力を制御することを特徴とする請求項５に記載のＷＤＭ伝送方法。
【請求項７】
前記モニタ光の波長を前記複数の波長の全てに渡って順次設定することを特徴とする請求項５又は６に記載のＷＤＭ伝送方法。
【請求項８】
前記中継器は光増幅器を備え、前記光増幅器より前段で折り返されたモニタ光と前記光増幅器より後段で折り返されたモニタ光とに基づいて当該波長の信号光出力を制御することを特徴とする請求項５乃至７のいずれかに記載のＷＤＭ伝送方法。
【発明の詳細な説明】
【０００１】
【発明の属する技術分野】
本発明は、ＷＤＭ伝送システムに関し、特に全ての伝送チャネルの伝送特性を均一化するＷＤＭ伝送システムに関する。
【０００２】
【従来の技術】
波長の異なる複数の光信号を多重化して光ファイバを介して伝送するＷＤＭ（Wave Division Multiplexing）は、広帯域増幅器を用いればビットレートフリー特性が得られ、マルチメディアに対応するのに好適であり、期待されている。
【０００３】
かかるＷＤＭ伝送システムにおいては、光波長多重信号には波長がそれぞれ異なるチャネル成分を有するため、伝送特性も各チャネル毎に異なる。この波長（周波数）の違いに起因する伝送特性の相違を解消して均一化することは、高精度な伝送特性を得るために重要である。
【０００４】
プリエンファシス技術を用いて受信側での光信号対雑音比を全チャネルで略等しくする技術としては、オペレータが受信側での光信号対雑音比を光スペクトラムアナライザによりモニタしながら送信側での減衰量や増幅量を可変する技術があるが、この技術はオペレータが光スペクトラムアナライザによるモニタが必要であるという問題があり、これを自動的に行うプリエンファシス方式光波長多重通信方法が、特開平８−３２１８２４号公報に開示されている。
【０００５】
また、ＷＤＭ伝送システムについては、特開２００１−１０３０１３号公報、特開２００１−２５７６４６号、特開平７−０３０５２０号公報に開示されている。
【０００６】
【発明が解決しようとする課題】
以上のように、全チャネルの伝送特性を均一にするには、各チャネルの伝送後の光ＳＮ比を一定に必要がある。しかし、伝送路の変動（伝送路の損失変動や温度変化等）により、伝送後の各チャネルの光ＳＮ比が変化してしまう。この光ＳＮ比を均一にするのには、非常に時間がかかるという問題があった
【０００７】
そこで、本発明の目的は、チャネルごとのレベルダイヤに注目し、各チャネルのレベルダイヤを管理して全チャネルの特性を均一に合わせるＷＤＭ伝送システムを提供することにある。
【０００８】
本発明の他の目的は、インサービスの状態で全チャネルのレベルダイヤ測定、調整を可能とするとともに、各チャネルのレベルダイヤの変動に基づいて光増幅器（中継器）の故障（ＬＤ故障）やケーブル断などの障害検出及び上りと下りの各チャネルのレベルダイヤの測定を可能とするＷＤＭ伝送システムを提供することにある。
【０００９】
本発明の更に他の目的は、多中継伝送システムにおける所定の中継器（光増幅器）数毎に又は特定の中継器のレベルダイヤ測定、プリエンファシス制御を可能とし、各光増幅器毎の利得プロファイルの測定が可能なＷＤＭ伝送システムを提供することにある。
【００１０】
【課題を解決するための手段】
前述の課題を解決するため、本発明によるＷＤＭ伝送システムは、次のような特徴的な構成を採用している。
【００１１】
（１）複数の波長の信号光を送信側で多重化し、１以上の中継器を介して伝送するＷＤＭシステムであって、
前記中継器で、前記送信側からのモニタ光を受信側に折り返し、
受信した前記モニタ光に基づいて当該波長の信号光出力を制御するＷＤＭ伝送システムにおいて、送信側で、モニタ光の波長として前記複数の波長の１つを設定して前記信号光に多重して送信する手段と、
当該波長で送信されていた信号光を前記複数の波長以外の付加的波長に切り替えて送信する手段とを有するＷＤＭ伝送システム。
（２）前記受信側で前記モニタ光を受信した後、付加的波長に切り替えて送信されていた信号光の波長を当該モニタ光の波長に戻して前記信号光出力を制御するＷＤＭ伝送システム。
（３）前記モニタ光の波長を前記複数の波長の全てに渡って順次設定する上記（１）又は（２）のＷＤＭ伝送システム。
（４）前記中継器は、
光増幅器と、
前記光増幅器より前段に備えられた第一の折り返し手段と、
前記光増幅器より後段に備えられた第二の折り返し手段とを備え、
前記第一の折り返し手段を介して折り返されたモニタ光と前記第二の折り返し手段を介して折り返されたモニタ光とに基づいて送信側で当該波長の信号光出力を制御する上記（１）乃至（３）のいずれかのＷＤＭ伝送システム。
（５）複数の波長の信号光を送信側で多重化し、１以上の中継器を介して伝送するＷＤＭ伝送方法であって、
前記中継器で、前記送信側からのモニタ光を受信側に折り返し、
受信側で、折り返された前記モニタ光を受信し、
受信した前記モニタ光に基づいて当該波長の信号光出力を制御するＷＤＭ伝送方法において、
モニタ光の波長として前記複数の波長の１つを設定して前記信号光に多重して送信し、当該波長で送信されていた信号光を前記複数の波長以外の付加的波長に切り替えて送信するＷＤＭ伝送方法。
（６）前記受信側で前記モニタ光を受信した後、付加的波長に切り替えて送信されていた信号光の波長を当該モニタ光の波長に戻して前記信号光出力を制御する上記（５）のＷＤＭ伝送方法。
（７）前記モニタ光の波長を前記複数の波長の全てに渡って順次設定する上記（５）又は（６）のＷＤＭ伝送方法。
（８）前記中継器は光増幅器を備え、前記光増幅器より前段で折り返されたモニタ光と前記光増幅器より後段で折り返されたモニタ光とに基づいて当該波長の信号光出力を制御する上記（５）乃至（７）のいずれかのＷＤＭ伝送方法。
【００２２】
【発明の実施の形態】
以下、本発明によるＷＤＭ伝送システムの好適実施形態例について添付図を参照して説明する。図１は本発明によるＷＤＭ伝送システムの一実施形態例を示す構成ブロック図である。
【００２３】
図１において、光ファイバＯＰ１を介して入力されたＷＤＭ光信号としてのトータル送信信号パワーのサブキャリヤ成分に信号に影響のない範囲の速度（ｋＨｚ〜ＭＨｚ）で変調をかけてある。
【００２４】
光ファイバＯＰ１を介して入力された光信号は、光カプラ１で２分岐され、一方の光信号が光増幅器５に入力される。光増幅器５で増幅された出力は、光カプラ２を介して光ファイバＯＰ２に送出される。一方、光ファイバＯＰ３からの光信号は光カプラ４に入力され、光増幅器６で増幅されて光カプラ３を経て光ファイバＯＰ４に出力される。
【００２５】
光カプラ３には、光増幅器６からの出力と光カプラ１からの分岐出力が入力、合波される。また、光カプラ４には、光ファイバＯＰ３からの光信号と光カプラ２からの分岐出力が入力、合波され、合波出力が光増幅器６に出力される。
【００２６】
光カプラ１で２分岐された光信号のうち他方の光信号は光カプラ１１に入力され、同様に２分岐され、一方の光信号が光減衰器１２で減衰されて光フィルタ１３に入力される。光フィルタ１３で所定の周波数帯域でフィルタリングされた信号は、ミラー１４で反射されて再び光フィルタ１３、光減衰器１２を経て光カプラ１１に入力される。ここで、光フィルタ１３の周波数特性は次のように制御される。すなわち、光カプラ１で分岐された入力光信号の変調パターンを光ダイオード１５で検出し、光フィルタ制御回路１６では検出された変調パターンに基づいて光フィルタ１３を制御し、その中心周波数を決定する。光フィルタ１３は、光減衰器１２からの出力光から、その中心周波数成分だけを取り出すことになる
【００２７】
光カプラ１で分岐された光信号は、光カプラ３に入力され、光増幅器６から出力される下り光信号と合波されて光ファイバＯＰ４に出力される。
【００２８】
光増幅器５からの出力光は、光カプラ２に入力され、上記と同様な構成で同様な動作をする。すなわち、光増幅器５で増幅された出力光は、光カプラ２を介して光ファイバＯＰ２に送出されるとともに、光カプラ２１に入力され、分岐されて、一方の光信号が光減衰器２２で減衰されて光フィルタ２３に入力される。上記と同様に、光ダイオード２５により光カプラ２１で分岐された入力光信号の変調パターンが検出され、この検出信号に基づいて光フィルタ２３を制御して、その中心周波数を決定する。光フィルタ２３では、その中心周波数成分だけが取り出され、ミラー２４で反射されて再び光フィルタ２３、光減衰器２２を経て光カプラ２１に入力される。光カプラ２で分岐された光信号は、光カプラ４に入力され、光ファイバＯＰ３からの下り光信号と合波されて光増幅器６に出力される。
【００２９】
以上のような構成により、経路Ｒ１を通り光ファイバＯＰ１から光カプラ１に至り、光カプラ１１、光減衰器１２、光フィルタ１３、ミラー１４、光ダイオード１５及び光フィルタ制御回路１６の回路を経て、光カプラ１１から光カプラ３に至る経路Ｒ２を通り、光カプラ３を経て光ファイバＯＰ４に至る経路Ｒ３に出力される。
【００３０】
また、光カプラ１、光増幅器５及び光カプラ２を通った光信号は、同様に、光カプラ２１、光減衰器２２、光フィルタ２３、ミラー２４、光ダイオード２５及び光フィルタ制御回路２６の回路を経て、光カプラ２から光カプラ４に至る経路Ｒ４を通って光増幅器６に出力される。
【００３１】
さて、本実施形態は、上記構成を備え、送りＷＤＭ光信号に特定のレベルダイヤ測定用の光信号１チャネルを用意してＷＤＭ光信号の任意のチャネル光信号と交換（入替）する。すなわち、例えば、図２（Ａ）に示すように、Ｎチャネル（波長λ１、λ２、λ３、．．．λＮ−１、λＮ）の光信号にレベルダイヤ測定用パルスとして一つのチャネルλＭを追加し、図２（Ｂ）に示すように、λ１の波長のチャネルをλＭの波長のチャネルと交換（入替）する。
【００３２】
本実施形態では、上記のように、波長λＭをλ１と交換したときに、経路Ｒ２とＲ４を経たレベルダイヤ測定パワーを測定し、以後、順次波長λＭを他のチャネルの波長λｋ（ｋはＮ以下の自然数）と交換したときに、経路Ｒ２とＲ４を経たレベルダイヤ測定パワーを測定し、測定結果に基づいて各チャネルのレベルダイヤを求める。求められた各チャネルのレベルダイヤに基づいて管理して全チャネルの特性を均一に合わせる。この様子が図３に示されている。
【００３３】
さて、図４に示すように、経路Ｒ２を通って戻ってきたレベルダイヤ測定パルスパワーをＰ１、経路Ｒ４を通って戻ってきたレベルダイヤ測定パルスパワーをＱ１とする。波長λ１の情報を波長λＭに交換してレベルダイヤ測定パルスパワーを測定し、波長λＭの情報を波長λ１に戻す。次に、波長λ２の信号を波長λＭと交換して波長λ２をレベルダイヤ測定パルスとすることで、波長λ１と同様にして、図３の経路Ｒ４を通って戻ってきたレベルダイヤ測定パルスパワーＰ２、経路Ｒ４を通って戻ってきたレベルダイヤ測定パルスパワーＱ２を測定する。以下、この処理、動作を繰り返すことで、波長λNまで、経路Ｒ２とＲ４を通って戻ってきたレベルダイヤ測定パルスパワーを測定することができる。ここで、λNまでの経路Ｒ２、Ｒ４を通って戻ってきたレベルダイヤ測定パルスパワーの平均をそれぞれＰave、 Ｑave とすると、光増幅器５での各チャネルのレベルダイヤは、
（（Ｑｋ−Ｑave）−（Ｐｋ−Pave ））／２
但し、ｋ  ＝１、２、．．．、Ｎ
で求められる。
【００３４】
図４には、上記レベルダイヤ測定態様の関係が示されている。図４において、送信側からのＮチャネルの第１チャネルのレベルダイヤ測定パルスＣＨ１、第２チャネルのレベルダイヤ測定パルスＣＨ２、．．、第Ｎチャネルのレベルダイヤ測定パルスＣＨＮの送信ＯＴＤＲパルスパワーはＰｄＢｍである。
【００３５】
経路Ｒ２を経て受信側で測定した第１チャネルのレベルダイヤ測定パルスＣＨ１はＰ１ｄＢｍ、第２チャネルのレベルダイヤ測定パルスＣＨ２はＰ２ｄＢｍ、．．第Ｎチャネルのレベルダイヤ測定パルスＣＨＮはＰＮｄＢｍとなり、これらのレベルダイヤ測定パルスの平均値がＰａｖｅｄＢｍとなる。
【００３６】
同様にして、経路Ｒ４を経て受信側で測定した第１チャネルのレベルダイヤ測定パルスＣＨ１はＱ１ｄＢｍ、第２チャネルのレベルダイヤ測定パルスＣＨ２はＱ２ｄＢｍ、．．、第Ｎチャネルのレベルダイヤ測定パルスＣＨＮはＱＮｄＢｍとなり、これらのレベルダイヤ測定パルスの平均値がＱａｖｅｄＢｍとなる。
【００３７】
その結果、各チャネルの相対値（レベルダイヤ）は、第１チャネルが（Ｑ１−Ｑａｖｅ）−（Ｐ１−Ｐａｖｅ）／２［ｄＢ］となり、
第２チャネルが（Ｑ２−Ｑａｖｅ）−（Ｐ２−Ｐａｖｅ）／２［ｄＢ］となり、
第Ｎチャネルが（ＱＮ−Ｑａｖｅ）−（ＰＮ−Ｐａｖｅ）／２［ｄＢ］となる。
【００３８】
図５と図６には、本実施形態におけるトータル送信信号パワーのサブキャリヤ成分にパターンをつけて変動させて変調する原理と、光ダイオード１５、光フィルタ制御回路１６及び光フィルタ１３による光フィルタ１３の中心周波数決定原理を説明するための図が示されている。
【００３９】
送信側では、（Ｎ＋１）チャネル送信信号が変調器５１で変調されて図１に示す光ファイバＯＰ１等に出力される。この変調は、発振器５２で得られる、図示の如き矩形波パルスから成るフィルタ制御パターンに基づく発振信号で行われる。光増幅器５が設置されている受信側では、光ダイオード１５による包絡線検波で上記フィルタ制御パターンを検出し、検出されたパターンに基づいて光フィルタ制御回路１６が光フィルタ１３の中心周波数を決定する。この中心周波数の決定は、上述の波長λＭのチャネルと波長λ１のチャネルを交換（入替）する毎に変化し、図６に示すように、波長λ１、λ２、λ３、．．．、λＮ−１、λＮ、λＭのように変化させる。
【００４０】
本発明では、上述のようにして得られたチャネル毎のレベルダイヤをモニタし、レベルダイヤの変動が、安定信号伝播範囲を超えたチャネルに対して送信側でプリエンファシス処理を施して当該チャネルのレベルダイヤを安定信号伝播範囲内に収める。
【００４１】
図７（Ａ）と（Ｂ）には、このようなレベルダイヤを安定信号伝播範囲内に収める処理の説明図が示されている。図７（Ａ）と（Ｂ）において、縦軸はレベルダイヤの相対値（ｄＢ）を、横軸は中継器の台数、つまり伝播距離相当を示す。図７（Ａ）の例では、波長λ１と波長λＮの光信号は安定信号伝播範囲内に収まっているが、波長λ２の光信号はその範囲を超えている。そこで図７（Ｂ）の例に示すように波長λ２の光信号に対しては送信側でプリエンファシス処理を施して安定信号伝播範囲内に収まるようにし、全チャネルのレベルダイヤの変動幅が一定範囲以内にして全チャネルの信号特性を略均一にする。
【００４２】
送信側のプリエンファシス回路の一例が図８に示されている。図８において、波長λ１、波長λ２、．．．、波長λＮ、波長λＭのレーザ光を発光するレーザダイオード１０１、１０２、．．．、１０Ｎ、１０Ｍからの光信号は、対応して設けられている変調器１１１、１１２、．．．、１１Ｎ、１Ｍで、Ｎチャネルデータ制御回路１２０の制御の下、変調される。変調された光信号は、対応して設置されている可変光減衰器１３１、１３２、．．．、１３Ｎ、１３Ｍでそれぞれ適切に減衰されて、光送信局制御回路１４０の制御の下、ＷＤＭカプラ１５０に送出される。光送信局制御回路１４０は、上記各チャネルの波長光信号が安定信号伝播範囲内に収まるように指示するシステム制御信号により制御される。ＷＤＭカプラ１５０の出力は、中継器１６０で増幅されて出力される。
【００４３】
以上のように、本発明では、レベルダイヤ測定用パルスを用意しているため、これと任意の信号チャネルとを切り替える（交換）ことにより、インサービスの状態で全チャネルのレベルダイヤ測定、調整が可能となる。
【００４４】
また、こうして得られた各チャネルのレベルダイヤの変動から光増幅器の故障（レーザダイオードの故障）やケーブル断等の障害検出が可能となる。例えば、図９に示すように、縦軸に相対値変動（同一チャネルで中継器故障前と故障後との差）を横軸に中継器台数（伝播距離対応）を示すと、相対値変動が急激に変化したところにある中継器が故障していると判断できる。
【００４５】
図１０には、本発明の実施形態として上りと下りのレベルダイヤの測定を行うことができる構成ブロック図が示されている。
【００４６】
図１０に示す実施形態は、下り側の光カプラ３及び４のそれぞれに、図１に示す光カプラ１１、光減衰器１２、光フィルタ１３、ミラー１４、光ダイオード１５及び光フィルタ制御回路１６から成る回路と同様な回路；光カプラ３１、光減衰器３２、光フィルタ３３、ミラー３４、光ダイオード３５及び光フィルタ制御回路３６の回路及び光カプラ４１、光減衰器４２、光フィルタ４３、ミラー４４、光ダイオード４５及び光フィルタ制御回路４６から成る回路が、それぞれ追加されている。この場合、上りのレベルダイヤ測定パルスが下りに戻るため工夫が必要である。この工夫について図１１を参照しながら説明する。
【００４７】
図１１において、実線で示される、中継器５の手前で下り側に折り返される経路Ｒ１１、Ｒ１２、Ｒ１３、中継器５の出力側で、次の上り光ファイバ側に送出される経路Ｒ１４、中継器５から中継器６を経て下り側の光信号として出力する経路Ｒ１５とＲ１６、光ファイバから中継器６に入力される光信号の経路Ｒ１７がある。
【００４８】
また、破線で示される、中継器６の手前で上り側に折り返される経路Ｒ２１、Ｒ２２、Ｒ２３、中継器６の出力側で、次の下り光ファイバ側に送出する経路Ｒ２４、中継器６から中継器５を経て上り出力する経路Ｒ２５とＲ２６がある。
【００４９】
図１１には、中継器５の入力側と出力側の上り側の複数（Ｍ個）λ１〜λＭの波長の多重波長に波長λｋを含めた光信号に対して、中継器６の出力側と入力側の下り側のレベルダイヤ測定パルスを含む光信号の例が示されている。この場合の波長毎のレベルダイヤを測定する方法は次のとおりである。
【００５０】
先ず、上りと下りのレベルダイヤ測定パルスの波長をλｋとし、上りの中継器の光フィルタの中心周波数を全てλｋとし、下りの中継器の光フィルタの中心周波数を全てλＭ´とする。次に、上りからレベルダイヤ測定パルスを送出し、上りの各中継器の波長λｋのレベルダイヤを測定する。
【００５１】
そして、上りと下りのレベルダイヤ測定パルスの波長をλｋ＋１とする。次に、上りの中継器の光フィルタの中心周波数を全てλｋ＋１とし、下りの中継器の光フィルタの中心周波数を全てλＭ´とし、上りからレベルダイヤ測定パルスを送出し、上りの各中継器の波長λｋ＋１のレベルダイヤを測定する。以下、同様な動作を繰り返す。この動作を下りについても行う。
【００５２】
本発明においては、多中継伝送を行うときに、いくつかの中継おきに本発明を適用することにより、所定の中継器（光増幅器）毎にレベルダイヤ観測、プリエンファシス処理制御が行える。例えば、図１２には、所定距離だけ離れて設置されている中継器Ｚ１〜Ｚ９のうち、点線で囲まれている本発明の中継器Ｚ２、Ｚ５、Ｚ８等における波長中継器Ｚ２、Ｚ５、Ｚ８のλ１とλＮの光信号の相対値の変化が示されている。また、図１３には、中継器Ｚ２、Ｚ５、Ｚ８の中継器毎にＮチャネルのＷＤＭ光信号の波長λ１〜λＭの光信号のパワー変動が測定されている例が示されている。波長毎のパワーレベル変動が異なっていることがわかる。
【００５３】
また、光増幅器毎の利得プロファイルを測定することができることも明らかである。更に、トータル送信信号のパワーのサブキャリヤ成分に各中継器のアドレスを付加することにより、ある特定の中継器のみのレベルダイヤだけを測定することができるようになる。
【００５４】
図１４は、本発明の他の実施形態を示す構成ブロック図である。図１４は、図１に示す実施形態における光フィルタ１３、２３の代わりに光スイッチ１７、２７を用いる例である。また、ミラー１４、２４の代わりにファイバグレーティング１９，２９を用いる。
【００５５】
信号形式（変調）は図２と同様とする。トータル送信信号パワーのサブキャリア成分に、信号に影響のない範囲の速度（ｋＨｚ〜ＭＨｚ）で変調がかけられ、その変調のパターンが光ダイオード１５、２５で検出される。検出された変調パターンに基づいて光スイッチ制御回路１８、２８で光スイッチ１７、２７の進行方向を決定する。
【００５６】
上り側の信号（レベルダイヤ測定光も含む）は、光ファイバＯＰ１で減衰され、光カプラ１を通って中継器としての光増幅器５と光カプラ１１に出力される。光カプラ１１の出力は光ダイオード１５と光減衰器１２に分岐される。光ダイオード１５を通った光信号は、光スイッチ制御回路１８に入力され、光スイッチ１７が波長λ１用のファイバグレーティング１９と接続するように制御する。光減衰器１２と光スイッチ１７を通った光はファイバグレーティング１９で波長λ１の光信号だけが反射されて、光スイッチ１７、光減衰器１２、光カプラ１１、光カプラ１を通って下り側の信号と光カプラ３で合波される。
【００５７】
また、中継器としての光増幅器５で増幅された光信号（レベルダイヤ測定光も含む）は、光カプラ２を通って光ファイバＯＰ２と光カプラ２１に出力される。光カプラ２１の出力は光ダイオード２５と光減衰器２２に分岐される。上述と同様に、光ダイオード２５で検出した変調パターンに基づき、光スイッチ制御回路２８は、光スイッチ２７が波長λ１用のファイバグレーティング２９と接続するように制御する。光減衰器２２、光スイッチ２７を通った光はファイバグレーティング２９で波長λ１だけが反射されて、光減衰器２２、光カプラ２１、光カプラ２を通って下り側の信号と光カプラ４で合波される。
【００５８】
以上、本発明によるＷＤＭ伝送システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００５９】
【発明の効果】
以上説明したように、本発明のＷＤＭ伝送システムによれば次のような格別顕著な効果が得られる。
【００６０】
（１）全チャネルのレベルダイヤの変動幅がある一定の幅以内になるように、送信側でプリエンファシスを行って全チャネルの信号特性をほぼ均一にすることができる。
（２）レベルダイヤ測定用パルスを用意しており、これと任意の信号チャネルと切り替えることによりインサービスの状態で全チャネルのレベルダイヤ測定、調整ができる。
（３）各チャネルのレベルダイヤの変動に基づいて光増幅器（中継器）の故障（ＬＤ故障）やケーブル断などの障害検出ができる。
（４）上りと下りの各チャネルのレベルダイヤを測定することができる。
（５）多中継伝送システムにおいて、いくつかの中継器おきに本発明を適用することにより、所定の中継器（光増幅器）数毎にレベルダイヤ観測、プリエンファシス制御ができる。
（６）光増幅器毎の利得プロファイルを測定できる。
（７）トータル送信信号パワーのサブキャリア成分に各中継器のアドレスを付加することにより特定の中継器のみのレベルダイヤだけを測定できる。
【図面の簡単な説明】
【図１】本発明によるＷＤＭ伝送システムの一実施形態を示す構成ブロック図である。
【図２】本発明の実施形態における送りＷＤＭ光信号に特定のレベルダイヤ測定用の光信号１チャネル用意してＷＤＭ光信号の任意のチャネル光信号と交換する例を示す図である。
【図３】本発明の実施形態において得られた各チャネルのレベルダイヤに基づいて全チャネルの特性を均一に合わせる様子を説明するための図である。
【図４】本発明の実施形態におけるレベルダイヤ（相対値）の測定原理を説明するための図である。
【図５】本発明の実施形態における送信信号の変調の様子と光フィルタの制御の様子を説明するための図である。
【図６】本発明の実施形態における光フィルタの中心周波数の制御の様子を説明するための図である。
【図７】本発明の実施形態における各波長の光信号の伝播時の変動を示す図である。
【図８】本発明の実施形態における送信側のプリエンファシス制御回路図である。
【図９】本発明の実施形態における光増幅器故障を検出する例を示す図である。
【図１０】本発明の他の実施形態によるＷＤＭ伝送システムの構成ブロック図である。
【図１１】図１０に示す実施形態における波長毎のレベルダイヤ測定を説明するための図である。
【図１２】本発明の実施形態における多中継器伝送システムの所定の中継器の相対値変化例を示す図である。
【図１３】本発明の実施形態における多中継器伝送システムの所定の中継器のＷＤＭ信号の各波長毎のパワー変動例を示す図である。
【図１４】本発明の更に他の実施形態によるＷＤＭ伝送システムの構成ブロック図である。
【符号の説明】
１〜４、１１、２１，３１，４１  光カプラ
５，６、１６０      中継器（光増幅器）
１２、２２、３２，４２  光減衰器
１３、２３、３３、４３  光フィルタ
１４，２４，３４，４４  ミラー
１５，２５，３５，４５  光ダイオード
１６，２６，３６，４６  光フィルタ制御回路
１７，２７        光スイッチ
１８，２８        光スイッチ制御回路
１９，２９        ファイバグレーティング
１０１〜１０Ｍ      レーザダイオード
１１１〜１１Ｍ      変調器
１２０          Ｎチャネルデータ制御回路
１３１〜１３Ｍ      可変光減衰器
１４０          光送信局制御回路
１５０          ＷＤＭカプラ
ＯＰ１〜ＯＰ４      光ファイバ
Ｚ１〜Ｚ９        中継器（光増幅器）
【図１】
0003997509.tif 000002
【図２】
0003997509.tif 000003
【図３】
0003997509.tif 000004
【図４】
0003997509.tif 000005
【図５】
0003997509.tif 000006
【図６】
0003997509.tif 000007
【図７】
0003997509.tif 000008
【図８】
0003997509.tif 000009
【図９】
0003997509.tif 000010
【図１０】
0003997509.tif 000011
【図１１】
0003997509.tif 000012
【図１２】
0003997509.tif 000013
【図１３】
0003997509.tif 000014
【図１４】
0003997509.tif 000015